(57)【特許請求の範囲】
【請求項１】
洗い場付き浴槽を含む防水床パンを有し、上記防水床パンの周囲に設けられた壁載せ部に、直接又は壁載せ材を介して、壁パネル及び出入口枠を組み立て、その上に天井パネルを載置してなる衛生設備室ユニットであって、壁裏に不用意に漏れた水を、上記壁パネル下端の外側又は下方、及び上記出入口枠の下方に形成した、回収路を通じて回収し、回収路を浴槽載置部など前記防水床パン内に開放することを特徴とする衛生設備室ユニット。
【請求項２】
前記回収路を、前記壁載せ部の室外側を壁載せ面より一段低く形成した凹溝とするか、前記壁載せ部の室外側を外向きの斜面に形成した三角溝としたことを特徴とする、請求項１記載の衛生設備室ユニット。
【請求項３】
前記壁載せ部に、前記壁載せ材を介して前記壁パネルを組み立て、上記壁載せ材の下方に回収路を設ける場合において、少なくとも上記壁載せ材の室外側と、上記壁載せ部の外側に設けた防水立上り片との間に、通水用の隙間を設けて、回収路の一部としたことを特徴とする請求項１又は２に記載の衛生設備室ユニット。
【請求項４】
前記回収路を、前記出入口枠部の１次水密手段から漏れた水を、上記出入口枠の下枠部に設けた排水用開口を介して排出するために、前記防水床パンの周囲に設けられ、洗い場面とは略水密的に区画された通水路に接続したことを特徴とする請求項１乃至３の何れか１項に記載の衛生設備室ユニット。
【発明の詳細な説明】
【０００１】
【発明の属する技術分野】
本発明は、浴室ユニットやシャワー室ユニットのような、室内床面に水を流す、つまり洗い場付き浴槽を含む防水床パンを有する衛生設備室ユニットに関するものである。
【０００２】
【従来の技術】
従来、浴室ユニットやシャワー室ユニットのような、室内床面に水を流す衛生設備室ユニットを構成する場合、一般的には、防水床パンの周囲に設けた壁載せ部に、壁パネル及び出入口枠を組み立て、その上に天井パネルを載置している。この壁載せ部は、一般的には床面より一段高い水平面であるが、床面と同一高さの水平面であったり、特開平１０−８８６３７に見られるように、床面より一段低い凹溝部であったりと、その形状や高さは様々である。
又、一般的には、この壁載せ部の上に直接壁パネル及び出入口枠を載置するが、特開平１０−８８６３７のように、壁載せピース、補助部材などと呼ばれる壁載せ材を介して載置される場合もある。
何れの場合も、防水床パン、壁載せ材、壁パネル、出入口枠及び天井パネルなどの各部材は、接合面の形状の工夫や、各種水密材の使用など、様々な工夫を凝らして、相互に水密的に接合されている。
【０００３】
【発明が解決しようとする課題】
しかしながら、これら従来の衛生設備室ユニットでは、これらの水密接合部の施工不良や水密材の劣化などによる、万一の漏水に関しては、水密手段を二重にするなどの他には、特別な対策はなされていないのが実情である。即ち、これらの水密接合部の施工不良や水密材の劣化などによって、衛生設備室ユニット外に漏水し、被害を及ぼす可能性があり、解決すべき課題として残されている。
本発明は、上記課題を解決するためになされたもので、本発明の目的は、これらの水密接合部の施工不良や水密材の劣化などによって、万一壁裏に漏水した場合でも、その漏れた水を衛生設備室ユニット内外の排水系統に回収することにより、室外に漏らさず、室外漏水に伴う被害を未然に防止できる衛生設備室ユニットを提供することにある。
【０００４】
【課題を解決するための手段】
各請求項記載の衛生設備ユニットについて、上記課題を解決するために施した手段を説明する。
【０００５】
本発明の請求項１記載の衛生設備室ユニットでは、室外への漏水に伴う被害を未然に防止するために、壁裏に不用意に漏れた水を、壁パネル下端の外側又は下方、及び必要に応じて出入口枠の下方に形成した、回収路を通じて回収することとした。
【０００６】
本発明の請求項１記載の衛生設備室ユニットでは、更に、壁裏に漏れた水を室外に漏らすことなく、確実に回収するために、回収路を、浴槽載置部など防水床パン内に開放した。
【０００７】
本発明の請求項２記載の衛生設備室ユニットでは、万一壁裏に漏水した場合でも、壁パネル下端部が長期間水に浸って腐食することのないように、請求項１記載の衛生設備室ユニットにおいて、壁載せ部の室外側をそのまま回収路として利用するのではなく、回収路を、壁載せ部の室外側を壁載せ面よりも一段低く形成した凹溝とするか、壁載せ部の室外側を外向きの斜面に形成した三角溝とした。
【０００８】
本発明の請求項３記載の衛生設備室ユニットでは、万一壁裏に漏水した場合でも、漏れた水を速やかに排出するために、請求項１又は２に記載の衛生設備室ユニットにおいて、壁載せ部に壁載せ材を介して壁パネルを組み立て、壁載せ材の下方に回収路を設ける場合に、壁載せ材の室外側と、壁載せ部の外側に設けた防水立上り片との間に、通水用の隙間を設けて、回収路の一部としたので、壁載せ材に通水用の開口を設ける場合に比較して、安価かつ確実に目的を達成できる。
【０００９】
本発明の請求項４記載の衛生設備室ユニットでは、壁裏に漏れた水を室外に漏らすことなく、確実に回収するために、請求項１乃至３の何れか１項に記載の衛生設備室ユニットにおいて、回収路を、出入口枠部の１次水密手段から漏れた水を、出入口枠の下枠部に設けた排水用開口を介して排出するように、防水床パンの周囲に設けられ、洗い場面とは略水密的に区画された、通水路に接続した。
【００１０】
【発明の実施の形態】
以下、本発明の実施の形態を、実施形態の図面を参照しつつ説明する。
【００１１】
図１は、本発明の第１実施形態の、防水床パンの壁載せ部と壁パネルとの接合部周りの縦断面図であり、図２は、第１実施形態の防水床パンの斜視図である。衛生設備室ユニット１は、防水床パン２の壁載せ部２２の上に、壁パネル４、出入口枠（図示せず）を載置し、その上に天井パネル（図示せず）を載せて構成される。防水床パン２と壁パネル４及び出入口枠とは、水密手段８、即ち本実施形態ではコーキング８１によって、水密的に接合されており、壁パネル４相互及び壁パネル４と出入口枠も、適当な水密的接合手段（図示せず）で接合されている。
壁載せ部２２の外側部分は、壁載せ面２３、即ち壁パネル下端部４１より低く形成されて、凹溝２４を形成し、回収路６として使用される。この回収路６は、図２に示すように、床防水パン２の浴槽載置部２６に導かれるとともに、排水接続管９１によって、衛生設備室ユニット１外の排水管（図示せず）にも接続されている。なお、２７は洗い場、２８は排水部である。
【００１２】
本実施形態では、上記のように構成したので、コーキング８１や、壁パネル４相互及び壁パネル４と出入口枠間の水密的接合手段の施工不良や劣化によって、壁パネル４の裏側に水が回った場合でも、この回収路６によって、再び衛生設備室ユニット１の室内側に回収され、及び／又は衛生設備室ユニット１外の排水管に導かれるので、壁載せ部２２の外側に設けられた防水立上り片２５を超えて溢水、即ち衛生設備室ユニット外へ漏水するおそれはなく、従って、室外漏水に伴う被害を未然に防止できる。
【００１３】
又、回収路６は、壁載せ面２３より低く形成されているので、万一壁裏に漏水しても、壁パネル下端部４１が長期間水に浸ることがないので、壁パネル下端部４１の腐食を防止できる。
【００１４】
なお、本実施形態では、壁載せ部２２の外側部分を壁載せ面２３より低く形成した凹溝２４で回収路６を形成したが、壁載せ部２２の外側部分を外向きの斜面とした三角溝で回収路６を形成しても良いし、回収路の長さ方向に勾配を設けても良いことは勿論である。
【００１５】
更に、本実施形態では、回収路６を防水床パン２の浴槽載置部２６に開放するとともに、衛生設備室ユニット１外の排水管にも接続したが、一方のみでも良いし、防水床パン２への開放位置も、浴槽載置部２６以外でも良い。
【００１６】
図３は、本発明の第２実施形態の、衛生設備室ユニット用の防水床パンの要部断面斜視図である。
【００１７】
本実施形態では、防水床パン２を、洗い場２７と浴槽２９とを一体的に形成したいわゆる洗い場付き浴槽としたこと、従って、壁載せ部２２の高さが洗い場２７周りと浴槽２９周りで異なること、回収路６を排水トラップ接続管９２を介して排水トラップ９３に接続したこと、衛生設備室ユニット１外への接続管を設けなかったこと以外は、衛生設備室ユニット１の構成や壁載せ部２２周りの形状など、第１実施形態と同様である。従って、第１実施形態と同様の効果を発揮する。
なお、９４は排水管、９５は浴槽排水管である。
【００１８】
本実施形態では、衛生設備室ユニット１外への接続管を設けなかったが、これを設けて、回収路６を衛生設備室ユニット１外の排水管に接続しても良いし、この場合は、排水トラップ９３への接続を省略しても良い。
【００１９】
図４は、本発明の第３実施形態の、防水床パンの壁載せ部、壁載せ材及び壁パネルとの接合部周りの縦断面図、図５は、第３実施形態の防水床パンの壁載せ部と出入口枠との接合部周りの縦断面図である。
【００２０】
衛生設備室ユニット１は、防水床パン２の壁載せ部２２上に、壁載せ材３を介して、壁パネル４を、又、壁載せ部２２上に直接出入口枠５を載置し、その上に天井パネル（図示せず）を載せて構成される。壁載せ材３と壁パネル４とは、水密手段８、本実施形態では水密パッキン８２によって、水密的に接合されており、壁パネル４相互及び壁パネル４と出入口枠５間も、適当な水密的接合手段（図示せず）で接合されている。又、防水床パン２の周囲で壁パネル４及び出入口枠５の内側には、出入口枠５の室内側下枠５１１と扉５３の扉下端室内側５３１との間に設けられた１次水密手段５４、即ち本実施形態では１次水密パッキン５４１から漏れた水を、出入口枠５の室内側下枠５１１と室外側下枠５１２の隙間、即ち排水用開口５２を介して排水するための通水路７が設けられ、溝蓋７１によって、床面２１、壁パネル４及び室内側下枠５１１とは略水密的に区画されている。ここに、略水密的とは、少量の漏水であれば可であることを意味する。なお、５５は扉下部室外側５３２と室外側下枠５１２との間に設けられる２次水密手段で、本実施形態では２次水密パッキン５５１がこれに相当する。
【００２１】
又、壁載せ材３の後面３４と防水床パン２周囲に形成された防水立上り片２５との間には、隙間６１が設けられ、主要部分が壁載せ材３の下方に位置する回収路６の一部を構成する。この隙間６１は、後面３４と防水立上り片２５の間にスペーサー（図示せず）を挟むか、後面３４及び防水立上り片２５の少なくとも一方を凹凸に形成することによって、構成する。
【００２２】
本実施形態では、上記のように構成したので、水密パッキン８２や、壁パネル４相互及び壁パネル４と出入口枠５間の水密的接合手段の施工不良や劣化によって、壁パネル４の裏側に水が回った場合でも、この回収路６から通水路７を通じて、再び衛生設備室ユニット１の室内側に回収されるので、防水立上り片２５を超えて溢水、即ち衛生設備室ユニット１外へ漏水するおそれはなく、従って、室外漏水に伴う被害を未然に防止できる。
【００２３】
又、万一壁裏に水が回っても、隙間６１を通じて、壁パネル下端部４１より遙かに低い通水路７に速やかに導かれるので、壁パネル下端部４１が長期間水に浸ることがないので、壁パネル下端部４１の腐食を防止できる。
又、本実施形態では、壁載せ材３の上面３２の外側部分を斜面３３としたことも、壁裏へ回った水を速やかに排出することに役立っている。
【００２４】
本実施形態では、壁パネル４は壁載せ材３を介して、出入口枠５は直接、床防水パン２の壁載せ部２２に載置したが、出入口枠をも壁載せ材３を介して載置するも任意である。
【００２５】
又、本実施形態では、壁載せ材３と通水路７の溝蓋７１を別体としたが、溝蓋付きの壁載せ材として一体的に形成しても良い。
【００２６】
又、第１実施形態及び第２実施形態では、壁載せ部２２の壁載せ面２３を防水床パンの床面２１より一段高く形成し、第３実施形態では、壁載せ材３の壁載せ面３１を防水床パン２の床面２１とほぼ同じ高さに形成したが、これらの高さ関係は任意である。更に、壁パネル４載置用の壁載せ面２３と出入口枠載置用の壁載せ部２２の高さを同一面とするも、出入口枠載置用の壁載せ部２２を一段低く形成するも任意である。
【００２７】
又、第１実施形態及び第３実施形態では、防水床パン２を、浴槽とは別体のものとし、第２実施形態では、防水床パン２をいわゆる洗い場付き浴槽としたが、これに限定するものではない。
【００２８】
なお、第１実施形態乃至第３実施形態は、あくまで一例を示すものであり、注記したことは勿論、各注記以外にも、実施形態の例示によって、請求項１乃至５に、構成、形状、仕様など、いかなる制限をも加えるものではないことは言うまでもない。
【００２９】
【発明の効果】
本発明は上記構成により次の効果を発揮する。
本発明の請求項１記載の衛生設備室ユニットでは、壁裏に不用意に漏れた水を、壁パネル下端の外側又は下方、及び必要に応じて出入口枠の下方に形成した、回収路を通じて回収することとしたので、室外への漏水に伴う被害を未然に防止することができる。
【００３０】
本発明の請求項１記載の衛生設備室ユニットでは、更に、回収路を、浴槽載置部など防水床パン内に開放したので、壁裏に漏れた水を室外に漏らすことなく、確実に回収、排水できる。
【００３１】
本発明の請求項２記載の衛生設備室ユニットでは、請求項１記載の衛生設備室ユニットにおいて、壁載せ部の室外側をそのまま回収路として利用するのではなく、回収路を、壁載せ部の室外側を壁載せ面よりも一段低く形成した凹溝とするか、壁載せ部の室外側を外向きの斜面に形成した三角溝としたので、万一壁裏に漏水した場合でも、壁パネル下端部が長期間水に浸って腐食するようなことはない。
【００３２】
本発明の請求項３記載の衛生設備室ユニットでは、請求項１又は２に記載の衛生設備室ユニットにおいて、壁載せ部に壁載せ材を介して壁パネルを組み立て、壁載せ材の下方に回収路を設ける場合に、壁載せ材の室外側と、壁載せ部の外側に設けた防水立上り片との間に、通水用の隙間を設けて、回収路の一部としたので、万一壁裏に漏水した場合でも、壁載せ材に通水用の開口を設ける場合に比較して、安価、確実、かつ速やかに、漏れた水を排出できる。
【００３３】
本発明の請求項４記載の衛生設備室ユニットでは、請求項１乃至３の何れか１項に記載の衛生設備室ユニットにおいて、回収路を、出入口枠部の１次水密手段から漏れた水を、出入口枠の下枠部に設けた排水用開口を介して排出するように、防水床パンの周囲に設けられ、洗い場面とは略水密的に区画された、通水路に接続したので、壁裏に漏れた水を室外に漏らすことなく、確実に回収、排水できる。
【図面の簡単な説明】
【図１】第１実施形態の、防水床パンの壁載せ部と壁パネルとの接合部周りの縦断面図である。
【図２】第１実施形態の、防水床パンの斜視図である。
【図３】第２実施形態の、衛生設備室ユニット用の防水床パンの要部断面斜視図である。
【図４】第３実施形態の、防水床パンの壁載せ部、壁載せ材及び壁パネルとの接合部周りの縦断面図である。
【図５】第３実施形態の、防水床パンの壁載せ部と出入口枠との接合部周りの縦断面図である。
【符号の説明】
１    衛生設備室ユニット
２    防水床パン
２１    床面
２２    壁載せ部
２３    壁載せ面
２４    凹溝
２５    防水立上り片
２６    浴槽載置部
２７    洗い場
２８    排水部
２９    浴槽
３    壁載せ材
３１    壁載せ面
３２    上面
３３    斜面
３４    後面
４    壁パネル
４１    壁パネル下端部
５    出入口枠
５１    下枠
５１１    室内側下枠
５１２    室外側下枠
５２    排水用開口
５３    扉
５３１    扉下端室内側
５３２    扉下端室外側
５４    １次水密手段
５４１    １次水密パッキン
５５    ２次水密手段
５５１    ２次水密パッキン
６    回収路
６１    隙間
７    通水路
７１    溝蓋
８    水密手段
８１    コーキング
８２    水密パッキン
９    排水系統
９１    排水接続管
９２    排水トラップ接続管
９３    排水トラップ
９４    排水管
９５    浴槽排水管
【図１】
0003572954.tif 000002
【図２】
0003572954.tif 000003
【図３】
0003572954.tif 000004
【図４】
0003572954.tif 000005
【図５】
0003572954.tif 000006